(57)【要約】【課題】  電源回路部品に雨水が接触することがない電源装置を提供する。【解決手段】  内部に電源回路が収容されているケース２では、間隔をおいて対向するように正面部４及び背面部６が配置され、それぞれ別個に形成されたと、正面部４及び背面部６の間にこれらを繋ぐように前記正面部及び背面部に接触して中間部８が位置している。正面部４、背面部６及び中間部８は、別個に形成されている。中間部８内にある前記電源回路用の部品を被うように中間部８内に内部カバー５２が配置されている。カバー５２は、その上部の正面部４側の端部全域から正面部４と中間部８との接触面を超えて正面部８内まで斜め上方を向いて伸びた舌片５２ａと、カバー５２の上部の背面部６側の端部全域から背面部６と中間部８との接触面を超えて背面部６内まで斜め上方を向いて伸びた舌片５２ｂとを有している。【選択図】        図１
2008118854.tif 000002
【特許請求の範囲】
【請求項１】
ケースと、
このケース内に収容された電源回路とを、
具備する電源装置において、
前記ケースは、間隔をおいて対向するように配置された、それぞれ別個に形成された正面部及び背面部と、これら正面部及び背面部の間に位置し、前記正面部と前記背面部とを繋ぐように前記正面部及び背面部に接触している、前記正面部及び背面部と別個に形成された中間部と、具備し、
前記中間部内にある前記電源回路用の部品を被うように前記中間部内にシートが配置され、
前記シートは、その上部の前記正面部側の端部全域から前記正面部と前記中間部との接触面を超えて前記正面部内まで斜め上方を向いて伸びた第１舌片と、前記シートの上部の前記背面部側の端部全域から前記背面部と前記中間部との接触面を超えて前記背面部まで斜め上方を向いて伸びた第２舌片とを、有する電源装置
【請求項２】
請求項１記載の電源装置において、前記ケースの外部から内部に前記ケースに設けた導入口を介して導入されたケーブルと、
前記導入口の近傍に前記ケースと一体に形成され、前記ケーブルの周方向のほぼ半分を包囲する第１クランプ部と、
前記ケーブルの残りの半分を包囲し、第１のクランプ部と共に前記ケーブルの全周を包囲するように第１のクランプ部に取り付けられている第２のクランプ部とを、
具備する電源装置。
【請求項３】
請求項１記載の電源装置において、
前記正面部と前記中間部との接触面の一方に、前記正面部と中間部との接触面の他方に向けて突出させた第１突出部と、
前記正面部と中間部との接触面の他方に設けられ、前記第１突出部が侵入する第１凹部と、
前記背面部と前記中間部との接触面の一方に、前記背面部と中間部との接触面の他方に向けて突出させた第２突出部と、
前記背面部と中間部との接触面の他方に設けられ、前記第２突出部が侵入する第２凹部とを、
具備する電源装置。
【発明の詳細な説明】
【技術分野】
【０００１】
本発明は、電源装置に関し、例えば溶接用電源装置に関する。
【背景技術】
【０００２】
溶接には、手溶接、ＴＩＧ溶接等の様々な種類がある。これら種類に対応した溶接機用電源装置が使用されている。その基本となる構成は、概ね次のようなものである。商用交流電圧が、入力側整流器及び平滑用コンデンサによって直流電圧に変換される。この直流電圧がインバータによって高周波電圧に変換される。この高周波電圧が変圧器によって所定の電圧に変圧される。変圧された高周波電圧は、出力側整流器によって直流電圧に変換され、負荷に供給される。必要に応じて、この直流電圧が低周波の交流電圧に変換されて、負荷に供給される。この電源装置では、インバータによって直流電圧を高周波電圧に変換しているので、小型の変圧器を使用することができ、電源装置全体を小型化することができる。
【０００３】
上述したように、溶接の種類としては、手溶接、直流ＴＩＧ溶接、交流ＴＩＧ溶接などがある。
【０００４】
手溶接を行う場合、溶接用電源装置は、出力電圧が変動しても、出力電流が一定である定電流出力特性を備えている。この出力電流値を設定する出力電流設定器が、手溶接用電源装置のパネルに設けられている。また、手溶接の場合、溶接の開始時や、例えばトーチと母材とからなる負荷が短絡しているときに、出力電流よりも大きな電流を流して、アークを良好に発生させるホットスタートを行うことがある。このホットスタート時に流す電流を設定するためのホットスタート設定器が、パネルに設けられている。また、パネルには、出力電圧や出力電流を表示する表示器も設けられている。
【０００５】
直流ＴＩＧ溶接は、例えばステンレスの溶接に適し、定電流出力特性を備えている。また、手溶接と同様にホットスタートを必要とすることもある。直流ＴＩＧ溶接では、平坦な母材を溶接する場合には、出力電流を一定値とする。しかし、パイプのような母材を溶接する場合には、特にパイプの底を溶接する場合には、一定の出力電流を供給すると、パイプからの溶融物が母材から落下し、再溶接を行うことが必要になったり、トーチのＴＩＧ溶接電極に溶融物が付着し、溶接電極が損傷したりする可能性がある。そこで、出力電流をパルス電流にし、パルス電流のうちベース電流ＩＢが流れているとき、例えばパイプの底部に形成された溶融池を冷却し、この溶融池から溶融物が落下したり、トーチの溶接電極に溶融物が付着したりするのを防止している。
【０００６】
ＴＩＧ溶接では、アークの発生法として、溶接電極と母材とを短絡させて、これらに低電流を流した後、溶接電極を母材から離して、両者の間にアークを発生させるタッチスタート法と、溶接電極を母材から予め離しておいて、両者の間に例えば１乃至３ＭＨｚで、５乃至２０ｋＶの高周波、高電圧を印加して、アークを発生させる高周波スタート法とがある。
【０００７】
直流ＴＩＧ溶接用電源装置のパネルには、出力電流を設定するための出力電流設定器、ホットスタート設定器が設けられている。更に、パルス電流を出力電流として供給するときの起動電流から、最大パルス電流（設定された出力電流）まで立ち上げるアップスロープ時間と、最大パルス電流から溶接終了時に流すクレーター電流まで低下させるダウンスロープ時間とを、それぞれ設定するアップスロープ、ダウンスロープ時間設定器も、パネルに設けられている。更に、パルス電流の周波数を設定するパルス周波数設定器と、パルス電流を供給するか直流電流を供給するかを切り換えるパルス切換器とが、パネルに設けられている。また、タッチスタートと高周波スタートとの切換を行うアークスタート切換器も、パネルに設けられている。この他に、出力電圧及び出力電流を表示する表示器もパネルに設けられている。
【０００８】
交流ＴＩＧ溶接は、例えばアルミニウムを溶接する場合に使用される。アルミニウムは、融点の高い参加費膜を有しているので、直流電源装置を用いて母材を正極に、溶接電極を負極として電流を流した場合（正極性の場合）、母材が高温にならず、溶接を行うことができない。そのため、母材を負極に、電極を正極として（負極性）、電流を流すと、母材から熱電子が放出され、酸化被膜が除去され（クリーニング効果）、溶接が可能となる。但し、正極性とした場合、電極を冷却する冷却効果がある。そこで、交流ＴＩＧ溶接の場合、クリーニング効果と冷却効果の双方が得られる。正極性の時間と負極性の時間とを調整することによって、両効果を所望の状態にできる。
【０００９】
この交流ＴＩＧ溶接も直流ＴＩＧ溶接にも使用できるようにした交直ＴＩＧ溶接機が存在する。交直ＴＩＧ溶接機用電源装置のパネルには、直流ＴＩＧ溶接用に、出力電流の設定器、ホットスタート設定器、アップスロープ時間及びダウンスロープ時間設定器、パルス周波数設定器、パルス電流の有無を切り換えるパルス切換器、タッチスタートと高周波スタートとの切換を行うアークスタート切換器、出力電圧、出力電流の表示器が、パネルに設けられた上に、交流ＴＩＧ溶接用に、交流溶接時の電圧の周波数を設定する周波数設定器と、正極性と負極性との比率を設定する波形バランス設定器も、パネルに設けられている。
【００１０】
これら各種の溶接用電源装置を、個別に製造する場合、その製造が面倒である。上記の各種溶接では、種々の設定が必要であるので、各種の溶接に使用できる１台の電源装置を製造しようとした場合、パネルには、多数の設定器が必要で、その構成が複雑になるだけでなく、各設定器の設定が面倒になる。
【００１１】
そこで、本願出願人は、特開平１０−３０７９号に示すような電源装置を提案した。この電源装置は、パネルに、手溶接か、直流ＴＩＧ溶接か等の溶接プロセスを設定する溶接プロセス設定用押釦と、溶接プロセスの選択後に各溶接プロセスのパラメータを選択するパラメータ設定押釦と、１個の設定器とを設け、この設定器によって、出力電流、出力電圧等を調整して、各種溶接に対応させている。パネルには、この他に、プロセス表示器、パラメータ表示器、アップダウン押釦、出力電圧計、出力電流計が設けられている。
【００１２】
ところで、溶接機用電源装置は、屋内で使用されるだけでなく、屋外で使用されることもあり、防滴、防塵対策を採る必要がある。そのため、上記のパネルに、防滴、防塵カバーが設けられる。
【発明の開示】
【発明が解決しようとする課題】
【００１３】
本発明は、電源回路部品に雨水が接触することがない電源装置を提供することを目的とする。
【課題を解決するための手段】
【００１４】
本発明による電源装置は、ケースと、このケース内に収容された電源回路とを、具備している。前記ケースは、間隔をおいて対向するように配置された、それぞれ別個に形成された正面部及び背面部と、これら正面部及び背面部の間に位置し、前記正面部と前記背面部とを繋ぐように前記正面部及び背面部に接触している、前記正面部及び背面部と別個に形成された中間部と、具備している。前記中間部内にある前記電源回路用の部品を被うように前記中間部内にシートが配置されている。前記シートは、その上部の前記正面部側の端部全域から前記正面部と前記中間部との接触面を超えて前記正面部内まで斜め上方を向いて伸びた第１舌片と、前記シートの上部の前記背面部側の端部全域から前記背面部と前記中間部との接触面を超えて前記背面部まで斜め上方を向いて伸びた第２舌片とを、有している。
【００１５】
このように構成すると、例えば正面部と中間部との接触面から雨水が浸入しても、第１舌片部を介してシート側に流れるので、シートによって包囲されている電源回路部品に雨水が接触することはない。背面部と中間部との接触面から雨水が浸入した場合でも、同様である。
【００１６】
さらに、ケースの外部から内部に前記ケースに設けた導入口を介してケーブルを導入することができる。この場合、導入口の近傍に前記ケースと一体に第１クランプ部が形成される。第１クランプ部は、前記ケーブルの周方向のほぼ半分を包囲する形状に形成されている。前記ケーブルの残りの半分を包囲する第２クランプ部が、第１のクランプ部と共に前記ケーブルの全周を包囲するように第１のクランプ部に取り付けられている。
【００１７】
このように構成すると、第１クランプ部がケースに一体に形成されているので、ケーブルを第１クランプ部に押しつけるように第２クランプ部をケーブルに接触させ、第２クランプ部を第１クランプ部に取り付けることによって、ケーブルをクランプすることができる。従って、クランプ作業が容易に行える。
【００１８】
また、前記正面部と前記中間部との接触面の一方に、前記正面部と中間部との接触面の他方に向けて第１突出部を突出させることができる。この場合、前記正面部と中間部との接触面の他方に、前記第１突出部が侵入する第１凹部が設けられる。前記背面部と前記中間部との接触面の一方に、前記背面部と中間部との接触面の他方に向けて第２突出部が突出させられている。前記背面部と中間部との接触面の他方に、前記第２突出部が侵入する第２凹部が設けられている。
【００１９】
このように構成した場合、第１突出部が第１凹部に係合し、第２突出部が第２凹部に係合しているので、正面部と中間部との接合がずれることがなく、同様に背面部と中間部との接合がずれることもない。
【発明の効果】
【００２０】
以上のように、本発明によれば、中間部にある内部カバーに正面部及び背面部の合わせ面を超えて伸びる舌片を設けてあるので、正面部と中間部との合わせ面や、中間部と背面部との合わせ面から水が侵入しても、電源回路が水に濡れることはない。また、正面部と中間部との接触面の一方に凸部を、他方に凹所を設け、背面部と中間部との接触面の一方に凸部を、他方に凹所を設けたならば、ケースを持ち上げた際に、正面部と中間部との間でずれが生じることがなく、中間部と背面部との間でずれが生じることがない。
【発明を実施するための最良の形態】
【００２１】
本発明の１実施形態の電源装置は、例えば溶接用電源装置であって、図１に示すように、ケース２を有している。このケース２は、正面部４、背面部６と、中間部８とからなり、合成樹脂製である。
【００２２】
正面部４及び背面部６は、その外形が同一寸法のほぼ扁平な直方体状に形成されている。これら正面部４及び背面部６は、所定の間隔をおいて互いに対向するように配置されている。
【００２３】
これら正面部４の背面と背面部６の正面とに接触するように、中間部８が配置されている。中間部８は、概略直方体状に形成され、図２及び図３に示すように、右側中間部８ａと左側中間部８ｂとから構成されている。これら右側及び左側中間部８ａ、８ｂは、図３に示すように縦断面形状が横倒しにした概略Ｕ字状のもので、それらの先端部を突き合わせている。この中間部８内に溶接用電源装置の電源回路（図示せず）が配置されている。なお、右側及び左側中間部８ａ、８ｂを突き合わせた状態で、中間部８の上部中央に位置するように、取手９が形成されている。
【００２４】
図４に示すように正面部２の上部には、幾分斜め下方を向いた凹所１０が形成されている。この凹所１０内に、図５に示すようにパネル１２が配置されている。このパネル１２には、この電源装置の特性調整用の種々のパラメータを設定する操作子、例えばスイッチやボリューム等（図示せず）が設けられている。
【００２５】
凹所１０には、防塵用のカバー１４が図４に示すようにパネル１２を覆うように取り付けられている。このカバー１４は、透明であり、図４に示していないが、カバー１４がパネル１２を覆っている状態においても、外部からパネル１２の設定状態を確認することができる。なお、図４において符号１６で示すのは、１つの操作子の摘みで、カバー１４がパネル１２を覆っている状態においても、外部から操作可能にカバー１４の外方に突出している。
【００２６】
カバー１４の両側面の上部には、図６に示すように、円板１８、１８が形成されている。この円板１８、１８の中央から両側面にほぼ垂直に軸２０、２０が外方に向かって突出している。図７に示すように、この軸２０、２０の中心を中心とする円周上に複数の凸部２２が等角度に外方に向かって突出している。
【００２７】
一方、凹所１０では、カバー１４がパネル１２を覆った状態において、カバー１４の軸２０、２０に対応する両側面の位置には、図５に示すように、軸２０、２０を回転自在に支持する軸受け、例えば軸穴２４、２４が形成されている。これら軸穴２４、２４の周囲には、各凸部２２に対応するように、各凸部２２が侵入して係合可能な凹部、例えば円穴２６、２６が形成されている。これら円穴２６が互いになす角度は、凸部２２が互いになす角度に等しく形成されている。
【００２８】
カバー１４の軸２０、２０が軸穴２４、２４に挿通されていることにより、カバー１４が軸２０、２０の周りに回転し、カバー１４がパネル１２を図１に点線で示すように開閉可能である。しかも、この回転の際に、各凸部２２が係合する円穴２６を順に変更していくので、所定角度ごとにカバー１４を固定することができる。従って、図１に示すように、所望の回転位置でカバー１４を固定することができる。従って、パネル１２の操作子を操作する際に、いちいちカバー１４を手で押さえておく必要が無く、パラメータの設定が容易に行える。
【００２９】
なお、図４に符号２８で示すのは、正の出力端子、符号３０で示すのは負の出力端子、符号３２で示すのは不活性ガスの出力端子である。また、符号３４で示すのは、ケース２内に空気を導入するための窓である。符号３６で示すのは、トーチスイッチの接続端子である。
【００３０】
背面部６には、図８に示すように、ケーブル、例えば電源ケーブル３８が導入されている。これは、ケース２内の電源回路に商用交流電源を供給するためのものである。この電源ケーブル３８がケース２から抜けることを防止するために、この電源ケーブル３８は、クランパー４０によってクランプされている。このクランパー４０は、図９に示すように、第１のクランプ部４０ａと第２のクランプ部４０ｂとからなる。これらは、共に合成樹脂製で、第１のクランプ部４０ａは、背面部６と一体に形成されている。第１のクランプ部４０ａは、背面部６に形成されている電源ケーブル３８の円形導入口４２の約３／４の外周を包囲する凹部４４を有している。また、第２のクランプ部４０ｂは、背面部６とは別個に形成されており、円形導入口４２の残りの外周を包囲可能な凹所４６を有している。
【００３１】
第１のクランプ部４０ａの凹部４４に電源ケーブル３８を接触させ、さらにこの電源ケーブル３８を第１のクランプ部４０ａ側に押圧するように、第２のクランプ部４０ｂの凹所４６を電源ケーブル３８に接触させ、第２のクランプ部４０ｂ側から固定手段、例えばボルト４８、４８を挿通して、第１のクランプ部４０ａに螺合させ、第１のクランプ部４０ａに第２のクランプ部４０ｂを固定して、電源ケーブル３８をクランプする。
【００３２】
このクランパー４０では、第１のクランプ部４０ａが、背面部６と一体に形成されている。従来、使用されていたクランパーでは、第１のクランプ部４０ａ、４０ｂに相当するものが、ケースとは別個に形成されていたので、第１のクランプ部４０ａに相当するものをケースに取り付けなければならず、作業性が低かった。しかし、このクランパー４０では、第１のクランプ部４０ａが背面部６に一体に形成されているので、第１のクランプ部４０ａを背面部６に取り付ける作業が不要で、クランプ作業を効率化することができる。しかも、第１及び第２のクランプ部４０ａ、４０ｂは合成樹脂製であるので、錆びることはない。
【００３３】
なお、図８に符号５０で示すのは、不活性ガスの入力端子である。同じく符号５１で示すのは、ケース２内を流れた空気を排気するための窓である。
【００３４】
図１に点線で示すように、中間部８内には電源回路を覆うように内部カバー５２が配置されている。この内部カバー５２は、導電材料、例えば金属箔、具体的にはアルミ箔または銅箔の両面を、耐錆及び耐熱性を有する材料、例えば耐熱性塩化ビニルまたは耐熱性ポリエステル等の樹脂によって被覆したものである。金属箔に代えて導電性を有するカーボン樹脂を使用することもできる。金属箔の両面を上記の材料によって被覆したものは、比較的柔軟であり、１枚の板状のものに適当な切り込みを入れて、折り曲げ加工することによって、所望の形状とすることができる。
【００３５】
この内部カバー５２は、図１０に示すように上壁５２Ｕを有し、その上壁５２Ｕの長手縁から下方に向かって伸びる両側壁５２Ｒ、５２Ｌを有している。上壁５２Ｕは、図１に示すように、中間部８の上壁に接近した位置にあり、中間部８の上壁にほぼ一致する大きさを有している。上壁５２Ｕの両端は、中間部８と正面部４との接触面、中間部８と背面部６との接触面の近傍である中間部８内に位置している。また両側壁５２Ｒ、５２Ｌは、中間部８の底壁に接触している。この内部カバー５２は、それの適所を電源回路の基準電位点に接続している。従って、この内部カバー５２は、シールドケースとして機能する。
【００３６】
さらに、上壁５２Ｕの正面部４側の端部から正面部４内に向かって舌片部５２ａが形成されている。舌片部５２ａは、上壁５２Ｕの正面部４側の端部から斜め上方に向けて傾斜した第１の傾斜部５２ａ−１を有し、これに続いて第１の傾斜部５２ａ−１よりも緩い傾斜の第２の傾斜部５２ａ−２を有している。上壁５２Ｕの背面部６側の端部から同様に第２の舌片部５２ｂが形成されている。舌片部５２ｂも、第１及び第２の傾斜部５２ａ−１、５２ａ−２と同様な第１及び第２の傾斜部５２ｂ−１、第２の傾斜部５２ｂ−２を有している。
【００３７】
また、側壁５２Ｒ、５２Ｌの正面部４側の端部から正面部４内に侵入するように舌片部５２ｃ、５２ｃが形成されている。同様に、側壁５２Ｒ、５２Ｌの背面部６側の端部から背面部６内に侵入するように舌片部５２ｄ、５２ｄが形成されている。これら舌片部５２ｃ、５２ｃ、５２ｄ、５２ｄも、ほぼ正面部４及び背面部６の底壁付近まで伸びている。
【００３８】
この内部カバー５２は、それの内部に導電性材料を含んでいるので、シールドケースとして機能し、この電源装置の近傍にある雑音源からの高周波信号等が、内部カバー５２によって覆われている電源回路に到来して、この電源回路を誤動作させることを防止している。さらに、上壁５２Ｕは、図２に示される中間部８の右側中間部８ａと左側中間部８ｂの上部での合わせ面５４から侵入した水を受ける。従って、合わせ面５４から侵入した水に内部カバー５２内の電源回路が濡れることを防止できる。また、正面部４と中間部８との合わせ面５６または背面部６と中間部８との合わせ面５８から侵入した水は、舌片部５２ａ、５２ｂを伝わって上壁部５２Ｕ側に流れる。従って、合わせ面５６または５８から侵入した水に、内部カバー５２内の電源回路が濡れることを防止できる。
【００３９】
例えば特許第３２３５７７７号には、上壁５２Ｕ及び側壁５２Ｒ、５２Ｌを備えたカバーが開示されている。これでは、舌片部５２ａ、５２ｂに相当するものが設けられていないので、合わせ面５６、５８から侵入した水に対処することができない。
【００４０】
図１１（ｂ）に示すように、中間部８の正面部４との接触面の上部には、正面部４側に向かって突出した複数、例えば２つの凸部６０が形成されている。これら凸部６０は、同図（ａ）に示すように、右側中間部８ａ、左側中間部８ｂの該右方端部に設けられている。中間部８と正面部４とを上下方向にずれが無い状態で接触させた状態において、凸部６０、６０が侵入して接触するように、正面部４の中間部８側の面の上部の両外方端には、図１２に示すように、凸部６０、６０に対応させて凹所６２、６２が形成されている。同様に、中間部８の背面部６との接触面の上部両外方端には、背面部６側に向かって突出した凸部６４、６４が形成されている。また、図には示していないが、中間部８と背面部６とを上下方向にずれが無い状態で接触させた状態において、凸部６４、６４が侵入して接触するように、背面部６の中間部８側の面には、２つの凹所が形成されている。
【００４１】
このように凸部６０、６０を正面部４側の凹所６２、６２に接触させ、凸部６４、６４を背面部６側の２つの凹所に接触させているので、例えば取手９を人が握って、このケース２を持ち上げても、正面部４と中間部８とが上下方向にずれることはなく、同様に中間部８と背面部６とが上下方向にずれることもない。
【００４２】
もし、このような凸部や凹所を設けなかったならば、取手９を人が握って、ケース２を持ち上げたとき、中間部８内には電源回路等の比較的重量の重いものがあるのに対し、正面部４、背面部６には重量物が存在しないので、正面部４と中間部８との間、背面部６と中間部８との間で、それぞれ上下方向のずれが生じる。しかし、凸部６０、６０、凹所６２、６２等を設けることによって、このようなずれが生じることを防止できる。
【００４３】
上記の実施の形態では、カバー１４に軸２０と凸部２２を設け、凹所１０側に軸穴２４と円穴２６を設けたが、逆にカバー１４に軸穴２４と円穴２６を設け、凹所１０側に軸２０と凸部２２を設けることもできる。また、凸部２２は、複数個設けたが、最低限度１個の凸部２２を設ければよい。また、上記の実施の形態では、第１のクランプ部４０ａと第２のクランプ部４０ｂとをボルトによって固定したが、これに限ったものではなく、例えば両端にフックを有する固定具を形成し、これらフックに係合する穴を第１及び第２のクランプ部４０ａ、４０ｂに設けることもできる。また、上記の実施の形態では、内部カバー５２には、舌片５２ｃ、５２ｄを設けたが、場合によっては不要である。また、上記の実施の形態では、中間部８側に凸部６０、６４を設け、正面部４、背面部６側に凹所を設けたが、逆に中間部８側に凹所を設け、正面部４、背面部６側に凸部を設けることもできる。また、上記の実施の形態では、中間部８を右側及び左側中間部８ａ、８ｂによって構成したが、中間部を内部が中空で正面と背面とが開口された直方体状に構成することもできる。
【図面の簡単な説明】
【００４４】
【図１】本発明の１実施形態の電源装置の側面図である。
【図２】図１の電源装置の平面図である。
【図３】図１の電源装置のケースの中間部の縦断正面図である。
【図４】図１の電源装置の正面図である。
【図５】図１の電源装置のケースの正面部の部分省略縦断側面図である。
【図６】図１の電源装置のケースのカバーの部分省略平面図である。
【図７】図７のカバーの部分破断側面図である。
【図８】図１の電源装置の背面図である。
【図９】図１の電源装置の背面部の部分省略破断拡大図である。
【図１０】図１の電源装置において使用する内部カバーの部分省略斜視図である。
【図１１】図１の電源装置のケースの中間部の平面図及び側面図である。
【図１２】図１の電源装置のケースの正面部の部分省略背面図である。
【符号の説明】
【００４５】
２  ケース
４  正面部
６  背面部
８  中間部
５２  内部カバー（シート）
５２ａ  舌片部（第１の舌片部）
５２ｂ  舌片部（第２の舌片部）
【図１】
2008118854.tif 000003
【図２】
2008118854.tif 000004
【図３】
2008118854.tif 000005
【図４】
2008118854.tif 000006
【図５】
2008118854.tif 000007
【図６】
2008118854.tif 000008
【図７】
2008118854.tif 000009
【図８】
2008118854.tif 000010
【図９】
2008118854.tif 000011
【図１０】
2008118854.tif 000012
【図１１】
2008118854.tif 000013
【図１２】
2008118854.tif 000014